(57)【特許請求の範囲】
【請求項１】
垂直回転自在、且つ遊戯者が搭乗可能に設けられた枠体状の回転フレームを有し、搭乗した遊戯者が該回転フレームと共に垂直回転するように構成された遊戯部と、
前記遊戯部を支持する支持手段と、
前記支持手段を支持して昇降せしめる巻き上げ装置と、
前記支持手段の下部から下方に向け外拡がり状に延設された複数の脚部材と、
前記遊戯部の下方に設けられ、前記脚部材の軸方向に沿って移動可能に設けた係合部材を介し該脚部材に接続せしめられた受部とから構成するとともに、
前記脚部材を外側に折り曲げ自在に前記支持手段に接続せしめたことを特徴とする遊戯装置。
【請求項２】
垂直回転自在、且つ遊戯者が搭乗可能に設けられた枠体状の回転フレームを有し、搭乗した遊戯者が該回転フレームと共に垂直回転するように構成された遊戯部と、
前記遊戯部を支持する支持手段と、
前記支持手段を支持して昇降せしめる巻き上げ装置と、
前記支持手段の下部から下方に向け外拡がり状に延設された複数の脚部材と、
前記遊戯部の下方に設けられ、前記脚部材の軸方向に沿って移動可能に設けた係合部材を介し該脚部材に接続せしめられた受部とから構成するとともに、
前記脚部材をその軸方向に移動自在に前記支持手段に接続せしめ、且つ前記係合部材の移動下端を定めるストッパを該脚部材に設けたことを特徴とする遊戯装置。
【発明の詳細な説明】
【０００１】
【産業上の利用分野】
本発明は空中に吊り下げた状態で遊戯せしめる遊戯装置に関する。
【０００２】
【従来の技術】
本出願人は既に、特願平６−７２７４３号又は特願平６−７９７７２号において、従来にない、無動力の自由回転式遊戯装置を開示している。この装置は遊戯者搭載部を有するフレームを回転自在に設け、遊戯者及びフレームの重力を利用して当該フレームを回転せしめ、遊戯者にスリル感を味わわせるものである。そして、この遊戯装置を空中に吊り下げた状態で遊戯者に遊戯を行わせれば、遊戯者はさらに高まったスリル感を味わうことができる。
【０００３】
【発明が解決しようとする課題】
一方、高所での遊戯は遊戯者の生命を左右する危険が伴うため、遊戯者の安全を十分に確保する必要がある。また、遊戯者が遊戯装置に乗り降りする際の安全も考慮する必要がある。
【０００４】
本発明は、以上の実情に鑑みなされたものであって、空中に吊り下げられた状態で遊戯を楽しませる遊戯装置であって、遊戯者の安全が十分に確保された遊戯装置の提供を目的とする。
【０００５】
【課題を解決するための手段】
上記目的を達成するために、請求項１に係る発明は、垂直回転自在、且つ遊戯者が搭乗可能に設けられた枠体状の回転フレームを有し、搭乗した遊戯者が該回転フレームと共に垂直回転するように構成された遊戯部と、前記遊戯部を支持する支持手段と、前記支持手段を支持して昇降せしめる巻き上げ装置と、前記支持手段の下部から下方に向け外拡がり状に延設された複数の脚部材と、前記遊戯部の下方に設けられ、前記脚部材の軸方向に沿って移動可能に設けた係合部材を介し該脚部材に接続せしめられた受部とから構成するとともに、前記脚部材を外側に折り曲げ自在に前記支持手段に接続せしめたことを要旨とする。
【０００６】
また、請求項２に係る発明は、垂直回転自在、且つ遊戯者が搭乗可能に設けられた枠体状の回転フレームを有し、搭乗した遊戯者が該回転フレームと共に垂直回転するように構成された遊戯部と、前記遊戯部を支持する支持手段と、前記支持手段を支持して昇降せしめる巻き上げ装置と、前記支持手段の下部から下方に向け外拡がり状に延設された複数の脚部材と、前記遊戯部の下方に設けられ、前記脚部材の軸方向に沿って移動可能に設けた係合部材を介し該脚部材に接続せしめられた受部とから構成するとともに、前記脚部材をその軸方向に移動自在に前記支持手段に接続せしめ、且つ前記係合部材の移動下端を定めるストッパを該脚部材に設けたことを要旨とする。
【０００７】
前記受部はシート状物又は網状体で構成することができる。シート状物には例えば、ナイロン，ビニール製のシート材、これが天然繊維，合成繊維，ガラス繊維，金属繊維等で補強されたもの、又は天然繊維，合成繊維等からなる布等を適用でき、網状体には例えば、ゴム製の若しくは天然繊維，合成繊維，ガラス繊維，金属繊維等の繊維で編まれたロープ又はベルトで形成された網状体を適用することができ、いずれも遊戯者が怪我をしない程度の柔軟性を有するものが好ましい。
【０００８】
【作用及び効果】
本発明の請求項１の発明によれば、巻き上げ装置により、遊戯部，支持手段，脚部材及び受部を空中に引き上げた状態で、回転フレームと共に垂直回転するという遊戯を遊戯者に楽しませることができる。また、遊戯部から遊戯者が誤って落下することとなった際には、脚部材により支えられた受部により遊戯者を受け止めることができるので、遊戯者は安全に遊戯を楽しむことができる。そして、遊戯者を乗降させるべく、遊戯部，支持手段，脚部材及び受部を地上に降ろす際には、まず、脚部材が地上に接して当該脚部材が外側に折れ曲がるとともに、これに伴って、当該脚部材に沿って係合部材が上方に迫り上げられる結果、前記受部も上方に移動し、ついには当該受部を挟んで支持手段が地上に達した状態で遊戯部が地上に降ろされる。これにより、遊戯部を地上に極めて近づけた状態にすることができ、遊戯者は極めて容易に乗降することができる。
【０００９】
また、請求項２の発明によれば、上述と同様に、遊戯者を乗降させるべく、遊戯部，支持手段，脚部材及び受部を地上に降ろす際に、まず、脚部材が地上に接して当該脚部材がその軸方向に沿って前記支持手段側に移動する。そしてこれに伴って、係合部材がストッパに係合し当該脚部材に沿って上方に押し上げられる結果、前記受部も上方に移動し、ついには当該受部を挟んで支持手段が地上に達した状態で遊戯部が地上に降ろされる。これにより、遊戯部を地上に極めて近づけた状態にすることができ、遊戯者は極めて容易に乗降することができる。
【００１０】
【実施例】
以下、本発明の実施例について添付図面に基づき説明する。
【００１１】
図１に示すように、実施例装置は支持手段（１）と、遊戯部（２）と、脚部材（３）と、受部（４）と、巻き上げ装置（図示せず）とからなるものである。以下、各部の詳細について説明する。
【００１２】
Ａ．支持手段
前記支持手段（１）は多角錐形状を形取った第１の支持枠体（６）と、この第１の支持枠体（６）の頂部に設けた吊環（７）とからなり、前記巻き上げ装置（図示せず）のフック（１９）がこの吊環（７）に係合し、当該巻き上げ装置（図示せず）によって支持手段（１）が昇降せしめられる。そして、この例では第１の支持枠体（６）を略６角錐形状に構成している。
【００１３】
Ｂ．遊戯部
前記遊戯部（２）は多角錐形状に形取った前記第１の支持枠体（６）の底辺部に接続せしめた回転フレーム（８）と、前記第１の支持枠体（６）の頂部から垂下せしめた支柱（９）と、この支柱（９）の下端部に設けた制止部（１０）と、第２の支持枠体（１１）と、支持フレーム（１２）とからなる。
【００１４】
前記回転フレーム（８）は３角形をした枠体で、その底辺の角部を前記第１の支持枠体（６）に軸着して、当該回転フレーム（８）を矢示Ａ−Ｂ方向に回転自在に設けている。また、この回転フレーム（８）の斜辺部材に保持ベルト（１３）及びネット（１４）を張架している。
【００１５】
前記第２の支持枠体（１１）は前記支持フレーム（１２）を介して前記第１の支持枠体（６）に接続される６角形をした枠体であり、その頂角部において前記回転フレーム（８）の頂部係合し、これを支持する。尚、前記回転フレーム（８）には解除レバー（図示せず）が設けられており、この解除レバー（図示せず）を操作することにより、回転フレーム（８）と第２の支持枠体（１１）との係合関係が解除されるようになっている。この解除機構には、例えば、前記回転フレーム（８）の頂部にノッチを設けるとともに、前記支持枠体（１１）にこのノッチに係合する係合孔を設け、前記ノッチと前記解除レバーとをワイヤロープにより連結し、解除レバーを操作することにより、ノッチが係合孔に対して進退するよう構成した機構を用いることができる。
【００１６】
また、前記制止部（１０）は矢示Ｂ方向に回転する前記回転フレーム（８）の頂部を受け止めるもので、当該受け止め部分をゴム等の弾性体で構成している。
【００１７】
Ｃ．脚部材
前記脚部材（３）は図１に示すように、前記第１の支持枠体（６）の各部材からその延長上に設けたパイプ部材で構成したものであり、図２に示すように、脚部材（３）を前記第１の支持枠体（６）の下端部に軸着するとともに、この軸着部に係止部材（１６）を設け、当該脚部材（３）が外側に向けた方向即ち矢示Ｃ方向にのみ回転するように構成している。また、図４に示すように、脚部材（３）の下端部にキャスター（１７）を設けている。
【００１８】
Ｄ．受部
前記受部（４）は、底部（４ａ）の面積が前記回転フレーム（８）で形成される下部面積よりも広い面積を有する６角形をしたもので、その周縁に周壁（４ｂ）を有するものである。そしてこの受部（４）には上述のように各種のものを適用できるが、この例では、合成繊維からなるネットを用いた。
【００１９】
そして、この受部（４）の角部を係合部材（５）により前記脚部材（３）に係合せしめている。係合部材（５）は図３に示すように、リング状の部材からなり、これが前記脚部材（３）に遊嵌状態で係合し、矢示Ｄ−Ｅ方向に移動可能となっている。尚、前記脚部材（３）の所定位置にストッパ（１８）を設けており、このストッパ（１８）により係合部材（５）の矢示Ｅ方向の移動を制止している。
【００２０】
次に、以上の構成を備える遊戯装置の作用について説明する。尚、この遊戯装置の回転フレーム（８）には遊戯者（Ｙ）が既に搭乗し且つ、巻き上げ装置（図示せず）のフック（１９）が前記吊環（７）に係合してこの巻き上げ装置（図示せず）により支持手段（１），遊戯部（２），脚部材（３）及び受部（４）が上方に引き上げられているものとする。
【００２１】
まず、遊戯者（Ｙ）は前記解除レバー（図示せず）を操作して、回転フレーム（８）と第２の支持枠体（１１）との係合を解く。これに伴い、回転フレーム（８）は遊戯者（Ｙ）及び自体の自重により矢示Ｂ方向に回転し、前記制止部（１０）に受け止められる。これにより、遊戯者（Ｙ）は倒れるという緊張感，スリル感を味わうことができる。尚、この緊張感，スリル感は空中での遊戯であることから、かなり高まったものである。また、遊戯者（Ｙ）は保持ベルト（１３）及びネット（１４）により支えられており、その安全が確保されているが、仮に保持ベルト（１３）及びネット（１４）に不具合があり、遊戯者（Ｙ）が下方に落下する事態となっても、遊戯者（Ｙ）は下方の受部（４）によって受け止められるので、遊戯者（Ｙ）はより安全に遊戯を楽しむことができる。
【００２２】
以上のようにして遊戯者（Ｙ）が遊戯を楽しんだ後、巻き上げ装置（図示せず）を駆動して支持手段（１），遊戯部（２），脚部材（３）及び受部（４）を下方に降下せしめる。脚部材（３）が地面に達すると、この脚部材（３）に設けたキャスター（１７）の作用により、当該脚部材（３）は容易に図２に示すごとく矢示Ｃ方向に回転する。これに伴い、受部（４）は矢示Ｄ方向即ち、脚部材（３）の上部に向け移動して、前記第１の支持枠体（６）と前記脚部材（３）の接合部が受部（４）を挟んで地面に達する。次いで、遊戯者（Ｙ）を遊戯部（２）から降ろし、前記回転フレーム（８）を矢示Ａ方向に回転させてこれを元の位置に復帰せしめた後、新たな遊戯者を装置に搭乗せしめる。以上のように、支持手段（１），遊戯部（２），脚部材（３）及び受部（４）が地上に降りた際、脚部材（３）が外側に折れ曲がって遊戯部（２）が極めて地面に近い位置に位置するので、遊戯者は極めて容易に乗降することができる。
【００２３】
この後再び巻き上げ装置（図示せず）を駆動して支持手段（１），遊戯部（２），脚部材（３）及び受部（４）を上方に引き上げる。その際、脚部材（３）は自重により内側に回転し、これに伴って受部（４）が下方に移動して脚部材（３）及び受部（４）は図１に示す位置に復帰する。
【００２４】
尚、この例では、図３に示すごとく、係合部材（５）たるリング部材により受部（４）を脚部材（３）に係合せしめ、当該受部（４）を矢示Ｄ−Ｅ方向に移動可能に構成したが、この構成に限るものではなく、例えば図４に示すように脚部材（３）に切り欠き部（２０）を設けるとともに、前記リング部材に替えてロープ又はチェーン等の部材とこれに接続する駒部材（２２）を設け、この駒部材（２２）を脚部材（３）たるパイプ部材内に嵌挿して構成してもよく、この構成によっても同様の作用を奏する。
【００２５】
また、脚部材（３）を、回転自在に第１の支持枠体（６）の下端部に接続した構成としたがこれに限るものではなく、図５に示すように第１の支持枠体（６）たるパイプ部材の内部に脚部材（３）を嵌挿し、当該脚部材（３）を軸方向にスライド可能にした構成としてもよい。尚、この場合には図示するごとく、ストッパ（２３）を設けて脚部材（３）が第１の支持枠体（６）より脱落するのを防止する必要がある。この構成によれば支持手段（１），遊戯部（２），脚部材（３）及び受部（４）を地上に降ろす際に、脚部材（３）が矢示Ｄ方向に移動して第１の支持枠体（６）内に収まるので、上述の例におけると同様に、遊戯部（２）が極めて地面に近い位置に位置するので、遊戯者は極めて容易に乗降することができる。
【００２６】
さらに、以上詳述した例は本発明の一例として示したものであって、本発明の具体的態様がこれに限られるものではないことは言うまでもないことである。
【図面の簡単な説明】
【図１】本発明に係る一実施例装置を示す斜視図である。
【図２】第１の支持枠体と脚部材の接続部を示す部分斜視図である。
【図３】脚部材を示す部分斜視図である。
【図４】係合部材の変形例を示す部分断面図である。
【図５】脚部材の他の例を示す部分断面図である。
【符号の説明】
１  支持手段
２  遊戯部
３  脚部材
４  受部
５  係合部材
６  第１の支持枠体
７  吊環
８  回転フレーム
９  支柱
１０  制止部
１１  第２の支持枠体
１２  支持フレーム
１３  保持ベルト
１４  ネット
１６  係止部材
１７  キャスター
１８  ストッパ
１９  フック
【図１】
0003602872.tif 000002
【図２】
0003602872.tif 000003
【図３】
0003602872.tif 000004
【図４】
0003602872.tif 000005
【図５】
0003602872.tif 000006